(57)【特許請求の範囲】
【請求項１】
材料を小出しにするための１回分投与使い捨てディスペンサーであって、
中に形成された少なくとも２つのウェルを有し、前記ウェルのうちのひとつが小出ししようとする材料を入れる材料用ウェルであり、さらにこの材料用ウェルに近接する他方のウェルがアプリケーターを入れるアプリケーター用ウェルである、トレイと、
作用端部と接続されたハンドル部とを有するアプリケーターとを備え、
アプリケーターの前記作用端部が前記アプリケーター用ウェルに配置され、
前記アプリケーター用ウェルが開口を有し、この開口を通って、前記ハンドル部が、前記アプリケーター用ウェルから突き出して延び、
材料とアプリケーターとをそれぞれのウェル内に含むように、カバーが前記トレイに接続され、
前記ハンドル部が、前記作用端と反対側に穿孔端を有し、
前記作用端が、前記アプリケーター用ウェルの中に抜き出し可能に入れられて、このことによって、前記アプリケーターを前記アプリケーター用ウェルから抜き出す、前記穿孔端を用いて前記カバーを穿孔し、前記材料用ウェルの中の前記材料にアクセスすることを特徴とする、１回分投与ディスペンサー。
【請求項２】
前記材料が流体である、請求項１記載の１回分投与ディスペンサー。
【請求項３】
前記材料が液体である、請求項１記載の１回分投与ディスペンサー。
【発明の詳細な説明】
【０００１】
【発明の属する技術分野】
本発明は、一般的に、アプリケーターによって使用しようとする薬剤を小出しするための収容に関し、より詳しくは、アプリケーター付きで、使い捨ての、使用しやすい、１回分患者投与薬剤ディスペンサーあるいは容器に関する。
【０００２】
【従来の技術】
数多くの使用において、特に医学的、歯学的職業では、少量の材料をアプリケーターで使用する必要がしばしば生じる。多くの場合、使用しようとする材料ごとに専用のアプリケーターを使わなければならない。これは、使用しようとする材料の特性に合わせるから、あるいは、その材料や薬剤を単一の患者に使用しその残りを廃棄して複数の患者間での交雑による汚染のおそれがないようにすることが望まれ必要だからである。現在、医学的職業では、薬剤を入れたバルク容器に、複数個の、ブラシやヘラあるいは綿棒のような使い捨てのアプリケーターを組み合わせて使うのが普通である。これらの使用では、アプリケーターは、使用してそのたびに廃棄しているが、実は、バルク容器のほうも汚染されて使えなくなるおそれがあり、あるいはそれが見逃されていた場合には、健康への危害を引き起こしている。しかし多くの場合、バルク容器が汚染されているかどうかの判断はつきにくい。さらに多数の実例では、アプリケーターについて、それが使用済みでそのために汚染されているかどうかの判断もつきにくい。またアプリケーターは多くの場合、使用しようとする薬剤や材料と一緒ではなく別に購入し保管することになっている。１回だけ使用するアプリケーターが、１９９１年３月２６日発行のＤｉｓｃｋｏによる、「使い捨て歯科ブラシ」という発明の名称の米国特許５，００１，８０３号に開示されている。この米国特許に関する内容は、公報番号を参照することにより、本明細書に組込まれるものとする。この米国特許の開示によれば、種々の歯科材料を使用するための使い捨て歯科ブラシで、細長ハンドルの一方の端に毛束がついたものとなっている。さらにまた、材料や薬剤を保持し、小出しするのに役立つトレイも、多種、知られている。このようなトレイのひとつが、１９９２年４月２１日発行のＤｉｓｃｋｏによる、「歯科接着液・密封剤トレイ」という発明の名称の米国特許５，１０６，２９７号に開示されている。この米国特許に開示された歯科トレイは、歯科材料の瓶を保持する凹みと、混合するための独特の形状の複数個のウェルとを有する。しかし、バルク材料や薬剤をトレイに小出ししてアプリケーターで混合するという一般的な実施でも、トレイもアプリケーターも別にバラで設けられており、多くの場合、困難で複雑なものになっている。またバルク容器を開けているときに、トレイとアプリケーターとを設置するのにしばしば、かなりの時間がかかる。さらに必要な部品のひとつを見失ったり、すぐには利用しにくい状態であることも、多々ある。したがって、処置をひとたび始めたら、即座に完了させるのは無理である。このことはとりわけ、有効化に必要な時間が特定化されている材料や薬剤を使用する場合に不利である。つまり材料や薬剤が、たとえば感光性であったり、たとえば化学反応をすでに起こしていても、処置をひとたび始めたら停止できないという事実がある。これに関して、薬剤を使用するときの利用の簡便性を高めるシステムが、１９９３年８月３１日発行のＨａｙｎｅｅによる、「ヒュームドシリカと過酸化水素を別々に区分けして有する歯科漂白システムとその使用方法」という発明の名称の米国特許５，２４０，４１５号に開示されている。この米国特許の開示によれば、ヒュームドシリカを混合室に入れて提供し、過酸化水素水をアンプルに入れて提供し、このアンプルが、薬剤を混合して歯の表面に使用するヘラと一緒に、収容されている。この米国特許に開示された発明は、薬剤の利用の簡便性を高めてはいるものの、収容システムとして相当に大きなものを構成しており、また開けにくく使いにくくなっている。
【０００３】
【発明が解決しようとする課題】
したがって収容について、より開けやすく、より使いやすく、さらに無駄になる材料を少なくして製造コストを抑えた、取扱が容易な、これまでとは異なる着想が必要となったのである。
【０００４】
【課題を解決するための手段】
本発明は、ブラシや綿棒あるいはヘラなどのようなアプリケーターを必ず備えた、材料や薬剤を保管し小出ししそして使用するための、１回分患者投与容器である。トレイは、薬剤用ウェルとアプリケーター用ウェルとを有して形成されている。このアプリケーター用ウェルは、薬剤用ウェルに入っている薬剤を合目的で使用するまでは、そしてこの薬剤を特定の処置で使用するまでは、アプリケーターとこの薬剤とが接触しないようにつくられている。さらにアプリケーター用ウェルは、その内部にアプリケーターを使用時まで保持するように形成されている。またアプリケーター用ウェルは、アプリケーターの長さ分より短くできていて、アプリケーターの一部分、すなわちハンドルが、アプリケーター用ウェルとトレイの一方の縁から突き出て延びるようになっている。さらにまたカバーが、トレイと薬剤用ウェルとアプリケーター用ウェルとを覆って、アプリケーターとトレイに入っている薬剤との汚染を防いでいる。
【０００５】
本発明の一形態においては、薬剤用ウェルが絞れるようになっており、それによって、カバーを外さなくとも、薬剤用ウェルの中の薬剤を、近接するアプリケーター用ウェルに、さらにこのウェルの中のアプリケーターの作用端に向けて、絞り出すことができる。本発明の別の形態においては、アプリケーターには穿孔端があり、このことによってユーザーはこの穿孔端で薬剤用ウェルを覆うカバーを穿孔して、さらに穿孔端がそこを通って挿入され使用しようとする薬剤を取り出せる。このような技法はとりわけ、薬剤用ウェルの薬剤が液体や流体の場合に適している。
【０００６】
開示された種々の実施態様において、アプリケーターの作用端は、アプリケーター用ウェルの中に抜き出し可能に保持され、このアプリケーター用ウェルからそのアプリケーターが意図に反して抜け落ちることがないようになって、このことによって、アプリケーターの延長ハンドル部分に合理的な引張力をかければ、アプリケーターを合目的に抜き出せることになる。
【０００７】
したがって本発明の目的は、使用しやすいおよび／または開きやすい、便利な１回分患者投与容器を提供することである。
【０００８】
本発明の別の目的は、薬剤やアプリケーターが、使用前の保管中に、長くむきだしになることによる潜在的汚染を防ぐことである。
【０００９】
本発明の利点は、この１回分投与容器が、開けやすくなっていることにある。
【００１０】
本発明の別の利点は、アプリケーター付きの１回分投与容器を作る上で、その収容材料が最小量ですむことにある。
【００１１】
本発明の特徴は、アプリケーターの一部分が、トレイとそれのカバーから突き出て延びていることにある。
【００１２】
本発明のさらに別の特徴は、使い捨てのアプリケーターを、便利な使いやすい容器において、薬剤の１回分患者投与に便利に用いていることにある。
【００１３】
本発明の別の目的は、作用端部と穿孔端部とを有するアプリケーター付きの薬剤容器であって、この穿孔端部を使って薬剤用ウェルを覆うカバーを穿孔するようになっている薬剤容器を提供することである。
【００１４】
さらに別の目的は、アプリケーター付きの薬剤容器であって、この容器内部にそのアプリケーターが抜き出し可能に保持されて、アプリケーターが意図に反して抜け落ちないようになっている容器を提供することである。
【００１５】
【発明の実施の形態】
本発明のこれらおよび他の目的、利点、特徴は、以下の詳細な説明から容易に明らかとなろう。
【００１６】
図１から４は、本発明の一実施態様を示したものである。図１に示されたように、単位分投与ディスペンサー９３０はトレイ９１０を含み、このトレイ９１０は、たとえば真空成形などによって、図示されたような形状に容易に成形できる適切なプラスティックで形成されていると好ましい。トレイ９１０は材料用ウェル９１２と細長ウェル９１６とを有して形成され、この細長ウェル９１６は、９１４で示されているように一端で開口している。ウェル９１２と９１６とをそれぞれ取り囲んでいるのは、平面９２８である。アプリケーター９２０は、アプリケーター用ウェル９１６の中に受入れられるようになっている。図示されたアプリケーター９２０は、毛ブラシとしての作用端部９２０Ｂを有する。図３に示されたように、アプリケーター９２０がウェル９１６に入っているときに、細長ハンドル部分９２０Ａが、ウェルの開口９１４を通って延びるような構成になっている。ハンドルの一部分９２０Ａの自由端には、先のとがったあるいは穿孔端９２０Ｃが付いている。
【００１７】
材料用ウェル９１２の中には、所定量の歯科材料９１４が入っている。この歯科材料９１４は、液体や流体タイプのものでもよい。前記のいずれかの様式で、カバー９２６が、接着剤や熱接着により、平面９２８に固定されている。
【００１８】
図示された実施態様では、アプリケーター９２０には、ブラシ９２０Ｂに近接してクリンプあるいはフレキシブルヒンジ９２２が設けられていて、使用の際に、ブラシすなわち作用端部９２０Ｂが、ハンドル９２０Ａの長手軸に対してある角度を有して、曲げられるようになっている。
【００１９】
材料９２４を小出ししようとするとき、ユーザーは、アプリケーター９２０をウェル９１６の開口端９１４から軸方向に単純に引張ればよいような構成になっている。アプリケーター９２０がウェル９１６から抜き出されると、ユーザーは次いで、図４で示されてわかるように、アプリケーター９２０の穿孔端すなわち尖先９２０Ｃでカバー９２６を穿孔できる。カバー９２６をこのように穿孔して、穴９２６Ａを形成する。この穴９２６Ａの大きさは、アプリケーター９２０の作用端部９２０Ｂがこの穴９２６Ａを通過して材料９２４で被覆され、歯や処理しようとする表面に材料９２４を使用するのに、十分な大きさとなっている。そして穴９２６Ａをこの大きさにするだけの十分な程度に、カバー９２６が穿孔されているのである。
【００２０】
本発明のこの実施態様はとりわけ、小出しする材料９２４が液体や流体タイプのものである場合に適している。また材料９２４は少量で、１グラムの何分の１という程にわずかとなっていることに、留意すべきである。これまで、カバー９２６がその下側のトレイ９１０に接着剤や熱接着によりシールされているため、ウェル９１２の中の液体９２４の漏れを引き起こさずにこのカバー９２６を外そうとすると、その試みは困難を伴うことがわかっていた。つまり、カバー９２６をトレイ９１０から外して、ウェル９１２とその中の材料とをむき出しにすると、材料９２４がたとえわずかでも漏れたり、なくなったりするおそれがある。そこで、これを避けるために、図１から４の実施態様では、カバー９２６が穿孔されてカバー９２６に穴９２６Ａが形成され、ウェル９１２の液体材料９２４へのアクセスが、カバーを外すことなく、可能となっている。このようにしてユーザーは、液体材料へのアクセスに際して、その液体が一切漏れたりなくなったりしないという確信が得られる。
【００２１】
材料９２４が光活性、つまり露光により固化・硬化する場合は、カバーが光不透過に作られているとよい。この場合のように材料９２４が光活性であると、カバー９２６を穿孔して材料にアクセスするのが、穴９２６Ａが比較的小さくアプリケーターの作用端部しか通過できないようになっているため、材料９２４の小出しされているあいだの露光を最小にできるという点で、さらに有利である。カバー９２６が、適切な不活性プラスティックフィルムまたはフォイルでできていてもよい。このカバーであれば、液体や流体タイプの材料に対しては閉塞的でありながら、アプリケーターの作用端部による穿孔は容易となる。
【００２２】
図２および３に示された組立態勢において、前記したようなブラシやヘラまたは綿棒やフロックタイプのアプリケーター９２０は、アプリケーター用ウェル９１６で、抜き出し可能に保持されている。この保持のために、ハンドル部分９２０Ａは、開口９１４の大きさに対してある相対的な割合、つまり、アプリケーターがウェル９１６から意図に反して抜け落ちることがないようにするが、図４に描かれた矢印Ａが示すように軸方向に合理的な引張力をアプリケーターにかければ、このアプリケーターをアプリケーター用ウェル９１６から容易に抜き出すことができるようにするという割合を維持している。この維持のために、トレイおよび／またはカバーの開口９１４に隣接する端を縮めて、十分な保持力でアプリケーターを固定することによって、意図に反して抜け落ちることがないようにして、さらにこの保持力に勝る合理的な引張力を、矢印Ａで示されたように、アプリケーターにかけることによって、アプリケーターをウェル９１６から合目的に抜き出せるようにしている。
【００２３】
図５は、フロックタイプのアプリケーター１０２０付きの、本発明の別の実施態様の分解斜視図である。トレイ１０１０は、材料用ウェル１０１２とアプリケーター用の細長ウェル１０１６とを形成して有する。アプリケーターの細長ウェル１０１６は、膨らみ部分１０１７と、くびれ部分１０１９とを有する。膨らみ部分１０１７は、フロックタイプのアプリケーター１０２０のフロック加工された端１０２１を受け入れる大きさになっている。一方、くびれ部分１０１９は、フロックタイプのアプリケーター１０２０の小径部分１０２２を受け入れる大きさになっている。ただし、多くの使用において、フロック加工された端１０２１は、くびれ部分１０１９というストッパ機能がなくてもアプリケーター用ウェル１０１６の中に抜けることなく保持されるだけの十分な大きさでもよいということについて、認知されるべきである。フロックタイプのアプリケーター１０２０のハンドル１０２０Ａは、アプリケーター用ウェル１０１６の開口１０１４を通って延びている。そしてこのハンドル１０２０Ａには、鋭いまたは先の尖った端１０２３が付いている。この鋭い端１０２３を用いて、カバー１０２６に穴をあけて、材料用ウェル１０１２に入れられた材料１０２４にアクセスできる。これはとりわけ、材料１０２４が液体または低粘度の材料であるときに有利である。ハンドル１０２０Ａがトレイ１０１０から突き出て延びていることによって、カバー１０２６をどれほど外しやすくしたとしても、それでもなお、液体または低粘度の材料１０２４が材料用ウェル１０１２の中に入っているときにカバー１０２６を外すと、材料がこぼれてしまうことは多々ある。そこで、鋭いまたは先のとがった端１０２３を用いて、カバーに穴を開けてつまり穿孔して、フロック加工された端１０２１を、カバーをしたまま挿入できるようにする。こうすることによって、穿孔後も開口が比較的小さいために、材料１０２４が汚染されるのを防止するのに役立つという有利性がさらに加わるのである。
【００２４】
図５に示された実施態様において、材料用ウェル１０１２とアプリケーター用ウェル１０１６との間に、たとえば接着剤をつけていない区域によって成される、通路を形成して有したとしてもそれは可能である。また２種類以上の材料が所望されるならば、トレイ１０１２に材料用ウェルを追加したとしてもそれも可能である。
【００２５】
図６から８は、本発明のさらに別の実施態様を示したものである。この実施態様では、トレイ１０１０は、薬剤用ウェル１０１２とアプリケーター用ウェル１０１４とを、トレイ１０１０の平面１０２８に形成して有する。アプリケーター用ウェル１０１４が、その中に、リテーナー１０１６および／またはシール１０１８を形成して有すると好ましい。そして材料または薬剤２４が、ウェル１０１２の中に入っている。アプリケーター２０は、毛２１と、くびれ部分またはクリンプ２２と、ハンドル部分２０Ａとを有する。このくびれ部分またはクリンプ２２は、リテーナー１０１６が嵌合できる。またトレイ１０１０がプラスティックでできていて、アプリケーター用ウェル１０１４の側壁が多少の撓み性を有して、アプリケーター２０が、アプリケーター用ウェル１０１４から抜き出しやすくなっていてもよい。シール１０１８は、アプリケーターの一部分つまり毛２１の汚れをとるのに役立つ。さらにアプリケーター用ウェルの長手方向の開口は、互いにその両縁が近づき合うように延びて、アプリケーターハンドルの径よりもわずかに小さい幅のスペースを有して、ハンドルがアプリケーター用ウェルの中に嵌まるようになっていてもよい。この構成により、使用準備ができるまでは、アプリケーターがそのウェルから意図に反して側方に抜け落ちることを防げるのである。
【００２６】
カバー１０２６が、アプリケーター用ウェル１０１４と薬剤用ウェル１０１２との上に配されている。このカバー１０２６は、取外し可能なストリップ１０２７をカバー１０２６の長手方向沿いに有する。２本の破砕線１０２５で、ストリップ１０２７を成している。破砕線１０２５とは、カバー１０２６上で弱くなっているところで、ストリップ１０２７は、この破砕線に沿ってカバー１０２６から引きはがされて、ストリップ１０２７の両側部分を残すようになっている。さらにストリップ１０２７は、一方の端にタブ１０２９を有して、ストリップ１０２７をつかみやすく、またカバー１０２６からはがしやすくしている。なお破砕線１０２５は、刻みをつけたり切れ目を入れたりという従来の方法によって形成してもよいし、カバーとは異なる材質で形成してもよい。異なる材質で破砕線を作って、取外し可能なストリップまたはカバーの一部分を提供するには、カバー１０２６の該当部分にこの異なる材質を付着させておいてもよいし、付着と均等な他の方法を用いてもよい。
【００２７】
図７は、トレイ１０１０の上に形成されたカバー１０２６を有し、アプリケーター用ウェル１０１４からアプリケーター２０のアプリケーターハンドル２０Ａが突き出て延びた、組立てられた投与容器１０３０を示したものである。ストリップ１０２７は、最初は、カバー１０２６に固着された状態である。
【００２８】
図８は、カバー１０２６の一部分から引き剥がされるストリップ１０２７有する投与容器１０３０を示す。ストリップ１０２７を引きはがすと、アプリケーター２０と材料２４とが、むき出しになる。必要に応じて、材料２４のほうだけをむき出しにあるいは覆われていない状態にすべきときもある。アプリケーター２０は、アプリケーター用ウェル１０１４の開口端を通って投与容器１０３０から容易に抜き出すことができ、さらにこのアプリケーター２０を用いて材料２４を使用できる。また、材料に隣接するカバー１０３０の両端は、アプリケーター２０に適量の材料を提供するために、アプリケーターの一部分、すなわち毛をぬぐって、使用できる。この場合、ストリップ１０２７の幅は、材料用ウェル１０１２の幅より小さくてよい。アプリケーターの一部分２１の材質は、毛、綿繊維、フロックタイプ、あるいは材料を使用するために使える他の材質、いずれでもよい。
【００２９】
図９は本発明のまた別の実施態様を示したものである。この実施態様では、トレイ１１１０は、複数の材料用ウェル１１１２Ａと１１１２Ｂとを形成して有する。カバー１１２６とトレイ１１１０の上表面との間に成されたチャネル１１１３を介して、あるいは材料用ウェル１１１２Ａと１１１２Ｂとの間の接続導菅によって、これらのウェル１１１２Ａと１１１２Ｂとは互いに接続されている。材料用ウェル１１１２Ａと１１１２Ｂとを相互接続するチャネル１１１３が、その途中に破砕部分１１１５を有すると好ましい。この破砕部分１１１５により、ウェル１１１２Ａと１１１２Ｂとの間のチャネル１１１３を介した意図に反する連通を遮断できる。この破砕部分１１１５は、弱くなっている接着域、取外し可能な接着域、破れやすくなっている膜など、あるいはこれらと均等の他の破砕部分でよい。カバー１１２６でウェル１１１２Ａと１１１２Ｂとを覆い、このカバー１１２６とトレイ１１１０とでチャネル１１１３が成されている。さらにノズル１０１９が、１つのウェル１１１２Ｂに形成されている。このノズル１０１９が、その途中にもうひとつの破砕部分１１１７を形成して有すると好ましい。この破砕部分１１１７は、壊れやすいシール、膜、取外し可能な接着材やプラグ、ノズルの接着または拘束性部分、あるいはこれらと均等な他の破砕部分でよい。ノズル１０１９は、アプリケーター１１２０のハンドル端を受け入れるようになっている。そしてアプリケーター１１２０のハンドル端は、内部に中ぐり１１２３を有する。この中ぐり１１２３は、アプリケーター１１２０のハンドルの他方の端のアプリケーター端部すなわち毛１１２１のところまで、延びている。
【００３０】
図９に示された実施態様においては、２種類の異なる材料を２つの異なるウェル１１１２Ａと１１１２Ｂとの中に入れてよい。たとえば、触媒と基本材料とをウェル１１１２Ａと１１１２Ｂとのうちのいずれか一方にそれぞれ保持しておき、触媒と基本材料とを合わせると、化学反応が起きるようになっている。つまり、２つのウェル１１１２Ａと１１１２Ｂとの間の破砕部分や破砕シールを破いて、ウェル１１１２Ａに入っていた材料を、絞り出しやこれと均等な他の技法で、ウェル１１１２Ｂ内に押し込むのである。材料の混合は、前後や他の方向の動きをとりながら、どちらのウェルでおこなってもよい。次いで、適切な混合後、破砕シール１１１７を破ることによって、ノズル１０１９を介して材料を取り出す。破砕シール１１１７は、ウェル１１１２Ｂを絞ったり、穿孔したりすることによって、破くことができる。混合された材料は、ノズル１０１９の行う方向づけによって、中ぐり１１２３を通ってアプリケーター端つまり毛１１２１まで達し、その表面に配される。使用中、アプリケーター１１２０はノズル１０１９に接続したままでもよいし、ノズルから抜き出してもよい。接続したままの場合は、ウェル１１１２Ｂをゆっくり絞るように容器を折ることによって、材料は連続的に使用できるようになる。一方アプリケーター１１２０をトレイから抜き出す場合は、アプリケーター１１２０に、いかなる摩擦性の保持や他の保持力にも勝る軸方向の引張力をかければよい。
【００３１】
図１０および１１は、本発明のさらにまた別の実施態様を示したものである。この実施態様では、トレイ１２１０は、材料用ウェル１２１２とアプリケーター用ウェル１２１４とを形成して有する。カバー１２２６が、トレイ１２１０の上表面に取付けられて、ウェル１２１２と１２１４とを覆っている。壁１２１３が、ウェル１２１２内部に別の室を形成している。こうして第１材料２４Ａと第２材料２４Ｂとをウェル１２１２内に入れておくことができるようになった、つまり、必須の壁１２１３を用いて、一方が他方を取り囲むように２つに別れたウェルを形成しているのである。
【００３２】
図１１は、カバー１２２６を外してアプリケーター２０を抜き出したときの、図１０に示された実施態様の平面図である。この実施態様は、ウェル２０１２内部に形成された２つの同心のウェルを示している。周壁１２１３が円形ウェル１２１２内部に形成されて、材料２４Ａと２４Ｂとが実効的に分けられている。そして、ウェル１２１２の中心を押し込んで壁１２１３を潰すことによって、材料２４Ａと２４Ｂとが混合できる。これら異なる２つの材料２４Ａと２４Ｂとは、それぞれ、触媒と基本材料でもよい。こうして２つの材料２４Ａと２４Ｂとは、１個のウェル１２１２内で混合されることになる。
【００３３】
図１２および１３は、本発明のまた別の実施態様を示したものである。この実施態様では、材料は、アプリケーター１３２０に直接、使用してもよい。トレイ１３１０は、材料用ウェル１３１２とアプリケーター用ウェル１３１４とを形成して有する。材料または薬剤用ウェル１３１２とアプリケーター用ウェル１３１４とは、カバー１３２６によって覆われている。そしてウェル１３１４の両側壁にシールまたはリテーナー１３１８が形成され、アプリケーター１３２０の汚染を防ぎ、さらにアプリケーター１３２０をアプリケーター用ウェル１３１４内に保持したり摩擦性の保持をしたりするのに役立つようになっている。なお、アプリケーター１３２０は、ウェル１３１４の中に入れておくことができる。また材料２４の入った材料用ウェル１３１２とトレイの縁との間には、引きはがせるようになった部分１３２７がある。この部分１３２７は、カバー１３２６とトレイ１３１０との間で弱くなった部分で、材料用ウェル１３１２を絞ったときに、材料２４がそこを通って押出されるようになっている。
【００３４】
図１３は、この実施態様の使用について示したものである。アプリケーター１３２０を、軸方向に引張ってリテーナー１３１８を通過させて、アプリケーター用ウェル１３１４から抜き出す。その後、材料用ウェル１３１２を絞ることによて、引きはがせるようになった部分１３２７を引きはがして、材料２４をアプリケーター１３２０上に小出しできる。
【００３５】
以上のことから、本発明が、使用が簡単で薬剤ごとに専用のアプリケーターを有した１回分患者投与あるいは単位分投与容器を提供することにより、少量の材料を安全かつ便利に使用することが確実に可能となったことが、明瞭に認知されるであろう。
【００３６】
本発明は、特に、使用後に容易に使い捨てできるようになった専用のアプリケーター付きの、１回分投与薬剤容器としての使用について、説明してきた。しかし本発明には、非医療用途または工業用途もあることが理解できよう。さらに本明細書で述べるところの容器は、消費者が種々のタイプの製品の試験や試行を行うためのサンプラーとしても使用可能である。そして薬剤とは、液体でも、ジェルでも、粉末でも、あるいはこれらをどのように組み合わせたものでもよいことも、理解されよう。
【００３７】
本発明を上記のいくつかの実施態様に関して説明してきたが、本発明の本質や範囲から逸脱することなく、種々の変更が可能である。
【００３８】
【発明の効果】
本発明により、より開けやすく、より使いやすく、さらに無駄になる材料を少なくして製造コストを抑えた、取扱が容易な、アプリケーター付き材料投与容器が提供された。
【図面の簡単な説明】
【図１】本発明の一変形実施態様の分解斜視図である。
【図２】図１の変形実施態様の組立斜視図である。
【図３】図２における線３−３についての断面図である。
【図４】アプリケーターが穿孔しているときの、図３と同様の断面図である。
【図５】フロックタイプのアプリケーターを用いた、本発明の別の実施態様の分解斜視図である。
【図６】本発明のさらに別の実施態様の斜視図である。
【図７】図６の実施態様の組立斜視図である。
【図８】開けたときの、図７に示された投与容器の斜視図である。
【図９】本発明のまた別の実施態様の平面図である。
【図１０】本発明のさらにまた別の実施態様の断面図である。
【図１１】図１０に示された実施態様の平面図である。
【図１２】本発明の別の実施態様の断面図である。
【図１３】図１２に示された実施態様の使用を示す断面図である。
【符号の説明】
２０、９２０、１１２０、１３２０  アプリケーター
２１、１１２１  毛、アプリケーターの一部分
２４Ａ  第１材料
２４Ｂ  第２材料
９３０  単位分投与ディスペンサー
９１０、１０１０、１２１０、１３１０  トレイ
９１２、１０１２、１１１２Ａ、１１１２Ｂ、１２１２、１３１２  材料用ウェル
９１４、１０１４  アプリケーター用ウェルの開口端
９１６、１０１６、１２１４、１３１４  アプリケーター用ウェル
９２０Ａ、１０２０Ａ  アプリケーターハンドル部
９２０Ｂ  アプリケーター作用端部
９２０Ｃ  アプリケーター穿孔端
９２４、１０２４  材料、薬剤
９２６、１０２６、１１２６、１２２６  カバー
９２６Ａ  カバーの穴
９２８、１０２８  平面
１０１６  リテーナー
１０１７  アプリケーター用ウェルの膨らみ部分
１０１８  シール
１０１９  アプリケーター用ウェルのくびれ部分、ノズル
１０２０  フロックタイプのアプリケーター
１０２１  アプリケーターのフロック加工された端
１０２２  フロックタイプのアプリケーターの小径部分
１０２３  ハンドルの先の尖った端
１０２５  破砕線
１０２７  ストリップ
１０２９  タブ
１０３０  投与容器
１１１３  チャネル
１１１５、１１１７  破砕部分、破砕シール
１１２３  中ぐり
１２１３  壁
１３２７  引きはがし可能な部分
【図１】
0004304363.tif 000002
【図２】
0004304363.tif 000003
【図３】
0004304363.tif 000004
【図４】
0004304363.tif 000005
【図５】
0004304363.tif 000006
【図６】
0004304363.tif 000007
【図７】
0004304363.tif 000008
【図８】
0004304363.tif 000009
【図９】
0004304363.tif 000010
【図１０】
0004304363.tif 000011
【図１１】
0004304363.tif 000012
【図１２】
0004304363.tif 000013
【図１３】
0004304363.tif 000014